(57)【要約】【課題】  保守性を向上させると共に作業者への労力負担を軽減でき、さらには基板の誤動作の原因となる電磁ノイズに対するシールドを効果的に行える構成を備えた基板取り付け構造を提供する。【解決手段】  盤面１に基板を取り付けるための構造であって、前記盤面１に対向して盤面側に位置する基板を跨ぐことができるブリッジ状の基板取り付け部材２を備え、前記基板取り付け部材２は、前記盤面１に対向する天井面２Ａに前記盤面１側の基板とは別の基板が取り付け可能であり、該天井面２Ａには前記別の基板の取り付け部を除く大きさを持つ開口２Ａ１が形成され、その開口２Ａ１を覆う状態で前記別の基板が取り付けられる構成であることを特徴としている。【選択図】  図１
2006136428.tif 000002
【特許請求の範囲】
【請求項１】
盤面に基板を取り付けるための構造であって、
前記盤面に対向して盤面側に位置する基板を跨ぐことができるブリッジ状の基板取り付け部材を備え、
前記基板取り付け部材は、前記盤面に対向する天井面に前記盤面側の基板とは別の基板が取り付け可能であり、該天井面には前記別の基板の取り付け部を除く大きさを持つ開口が形成され、その開口を覆う状態で前記別の基板が取り付けられる構成であることを特徴とする基板取り付け構造。
【請求項２】
請求項１記載の基板取り付け構造において、
前記開口には、前記別の基板が取り付けられる側の面に該開口を覆うことができる大きさを持つ導電性板材が設けられ、該導電性板材は、その両側が、前記基板取り付け部材に設けられた係止部によって着脱可能に設けられることを特徴とする基板取り付け構造。
【請求項３】
請求項１または２記載の基板取り付け構造において、
前記導電性板材の係止部は、前記基板取り付け部材における基板取り付け面から突出されており、該導電性板材の一方の端面に圧接可能な係止片による押圧力によって他方の端面を所定位置に保持する構成であることを特徴とする基板取り付け構造。
【請求項４】
請求項１乃至３のうちの一つに記載の基板取り付け構造において、
前記基板取り付け部材は、その内部における下方の面が傾斜面とされた誘導部を備えていることを特徴とする基板取り付け構造。
【請求項５】
請求項２または３記載の基板取り付け構造において、
前記導電性板材は、接地されたシールド部材であることを特徴とする基板取り付け構造。
【請求項６】
請求項１乃至５のうちの一つに記載の基板取り付け構造を用いることを特徴とする遊技機。  
【発明の詳細な説明】
【技術分野】
【０００１】
本発明は、基板取り付け構造およびパチンコ遊技機に関し、さらに詳しくは、パチンコ遊技機などに用いられる主基板の取り付け構造に関する。
【背景技術】
【０００２】
周知のように、遊技機の一つであるパチンコ遊技機では、遊技に係る制御や各種の演出に係る制御を行うための制御基板が装備されており、これらの制御基板は、パチンコ遊技機の裏面側に取り付けられている。
【０００３】
一方、パチンコ遊技機をはじめとして払い出し制御が伴う遊技機においては演出や遊技内容が多様化する傾向にあり、これに伴い用いられる制御基板の数も増加傾向にある。また、液晶表示基板の拡大等により、制御基板の配置スペースが狭くなりつつなる。
【０００４】
従来、制御基板の増加に対処するための構成として、主基板などの一部の回路基板がその厚さ方向において中継基板などの他の回路基板の上に重ねられた状態でパチンコ遊技機の遊技盤面裏側に取り付けられる場合がある（例えば、特許文献１）。
【０００５】
特許文献１には、遊技盤の裏面に設けられる基板取り付け台における取り付け面に設けてある中継基板を覆うことができる箱状のアダプタを設け、このアダプタがその側縁部に有する係合部を基板取り付け台側の係止爪に係脱できるようにした構成が開示されている。アダプタには、主基板が取り付けられている。
【０００６】
この構成においては、主基板が中継基板に対して重ねられた状態で設置され、保守の際にはアダプタの係合を解除して中継基板や基板取り付け台側を露出させることができる。
【特許文献１】特開２００３−１１７１９４号公報（段落「０００２」、「００１３」欄）
【発明の開示】
【発明が解決しようとする課題】
【０００７】
特許文献１に開示された構成においては、遊技盤面側に位置する中継基板とこれの厚さ方向で重ねられる主基板とがアダプタを介して対応させてあり、主基板が遊技盤裏面で最も外側の位置となる関係を設定されている。
【０００８】
このような構成において、基板類やハーネス類の接続さらには部品交換を行う場合には、主基板およびこれとは別の基板が厚さ方向に重ねられて配置されていても、各基板の取り外しを行うことなくアダプタのみを取り外すだけで済むという利点がある。
【０００９】
しかし、この構成では、次のような不具合がある。
【００１０】
主基板のサイズが他の基板に比べて大型であることから、これの外周囲を覆っている不正行為防止用の透明樹脂からなる基板ケースもかなりの大型となる。このため、これらが取り付けられているアダプタの着脱に要する労力が大きく必要となる虞がある。
【００１１】
つまり、基板取り付け台から取り外されるアダプタは、自身の重量だけでなく主基板および基板ケースを含んだ重量となり、作業者への重量負担が大きくなり、誤って落としたりする危険がある。
【００１２】
また、基板取り付け台へのアダプタの着脱に用いられる機構がアダプタの側縁部の４隅近傍に設けてある係止爪とこれが係脱できる掛け止め部であることから、係止爪の係合解除を行う箇所が多くなり、着脱に際しての手間がかかる虞がある。
【００１３】
一方、多くの回路基板からなる制御基板を装備している遊技機では、これら各制御基板、特に主基板に対する外部からの電磁ノイズの進入を避ける必要がある。
【００１４】
従来、外部からの電磁ノイズ対策としてよく知られているのはシールド構造であるが、基板の設置スペースに制約されて充分なシールドスペースを確保することが難しいのが現状である。
【００１５】
本発明の目的は、上記従来の基板取り付け構造における問題に鑑み、保守性を向上させると共に作業者への労力負担を軽減でき、さらには基板の誤動作の原因となる電磁ノイズに対するシールドを効果的に行える構成を備えた基板取り付け構造および遊技機を提供することにある。
【課題を解決するための手段】
【００１６】
請求項１記載の発明は、盤面に基板を取り付けるための構造であって、前記盤面に対向して盤面側に位置する基板を跨ぐことができるブリッジ状の基板取り付け部材を備え、前記基板取り付け部材は、前記盤面に対向する天井面に前記盤面側の基板とは別の基板が取り付け可能であり、該天井面には前記別の基板の取り付け部を除く大きさを持つ開口が形成され、その開口を覆う状態で前記別の基板が取り付けられる構成であることを特徴としている。
【００１７】
請求項２記載の発明は、請求項１記載の基板取り付け構造において、前記開口には、前記別の基板が取り付けられる側の面に該開口を覆うことができる大きさを持つ導電性板材が設けられ、該導電性板材は、その両側が、前記基板取り付け部材に設けられた係止部によって着脱可能に設けられることを特徴としている。
【００１８】
請求項３記載の発明は、請求項１または２記載の基板取り付け構造において、前記導電性板材の係止部は、前記基板取り付け部材における基板取り付け面から突出されており、該導電性板材の一方の端面に圧接可能な係止片による押圧力によって他方の端面を所定位置に保持する構成であることを特徴としている。
【００１９】
請求項４記載の発明は、請求項１乃至３のうちの一つに記載の基板取り付け構造において、前記基板取り付け部材は、その内部における下方の面が傾斜面とされた誘導部を備えていることを特徴としている。
【００２０】
請求項５記載の発明は、請求項２または３記載の基板取り付け構造において、前記導電性板材は、接地されたシールド部材であることを特徴としている。
【００２１】
請求項６記載の発明は、請求項１乃至５のうちの一つに記載の基板取り付け構造を遊技機に用いることを特徴としている。
【発明の効果】
【００２２】
請求項１記載の発明によれば、盤面に設けられる基板取り付け部材に形成されている開口が基板により覆われた構成であるので、盤面を外部に露出させる場合には基板を取り除くだけで済む。これにより、基板取り付け部材の取り外しが不要となるので、基板および基板取り付け部材を共に取り外す場合にような重量負担をなくすことが可能となる。特に、開口が基板の取り付け部を除く大きさであるので、盤面の露出面積が大きく設定できることになる。
【００２３】
請求項２および５記載の発明によれば、基板取り付け部材に形成されている開口において着脱可能に導電性板材が設けられているので、基板の大きさに合わせたシールド面積を確保することができ、しかも、盤面を露出させる際には導電性板材の係止を解除することで行える。これにより、シールド効果の確保と盤面露出のための作業性を向上させることが可能となる。
【００２４】
請求項３記載の発明によれば、導電性板材の係止部が基板取り付け部材における基板取り付け面から突出させて導電性板材の嵌合ができ、導電性板材の一方側から押圧する構成であるので、押圧および押圧解除という簡単な操作により導電性板材の着脱が可能となる。しかも、係止部が基板取り付け面から突出しているので、基板と導電性板材との接触が生じないような位置決めを行うことができるので、不用意に接触した場合に発生する短絡事故を未然に防止することが可能となる。
【００２５】
請求項４記載の発明によれば、基板取り付け部材の内部における下方の面が傾斜面とされた誘導部を備えているので、内部に進入してきたものを誘導することができる。特に、転動するような物が進入した場合には、基板取り付け部材内で不用意に開口側に移動するのを防止して導電性板材や基板に接触するのを防止することが可能となる。
【００２６】
請求項５記載の発明によれば、導電性板材を接地することによって、内部に侵入してきたものが帯電している場合に、導電性板材に接触することで、帯電を除去することが可能となる。
【００２７】
請求項６記載の発明によれば、遊技機に装備される基板同士が重ねられて配置されているような場合でも、基板取り付け部材を取り外すのでなく、開口を開放するだけの簡単な作業により盤面側の露出態位を設定することができ、保守時などでの作業性を向上させることが可能となる。
【発明を実施するための最良の形態】
【００２８】
以下、図示実施例により本発明を実施するための最良の形態について説明する。
【実施例】
【００２９】
図１は、本発明実施例による基板取り付け構造の要部を示す図であり、同図において基板取り付け構造は、パチンコ遊技機（図示されず）の遊技盤に装備される基板セット台１に取り付けられる基板取り付け部材２を備えている。
【００３０】
基板取り付け部材２は、盤面に相当する遊技盤の背面に配置される基板セット台１に対して締結などにより着脱可能に設けられている。
【００３１】
基板取り付け部材２は、遊技盤側の基板セット台１に設けられている基板の一つである中継基板（図示されず）の後ろ側に配置されて中継基板を跨いで覆うことができるように、平面視形状がブリッジ状で遊技盤側及び垂直方向上面が開放された樹脂製部材である。
【００３２】
基板取り付け部材２は、遊技盤側と対向する天井面２Ａの背面側に基板セット台１側の中継基板とは別の基板に相当する主基板（図示されず）が取り付けられる部材であり、内部には、ブリッジ状をなす両側の脚部２Ｂ、２Ｂ’間の下方に、図２に示すような傾斜面からなる誘導部２Ｃが形成されている。
【００３３】
誘導部２Ｃは、基板取り付け部材２の内部に進入したパチンコ球を誘導する部分であり、進入してきたパチンコ球が落下して誘導部２Ｃに至ると、誘導部２Ｃに形成されている切り欠き部２Ｃ１から排出されるようになっている。
【００３４】
一方、基板取り付け部材２における盤面側と対向する天井面２Ａには、厚さ方向に貫通された開口２Ａ１が設けられている。なお、天井面２Ａ側に設けられている符号２Ａ２で示す部材は、主基板のケースを取り付けるためのフックである。
【００３５】
開口２Ａ１は、天井面２Ａにおいて主基板の取り付け部を除く大きさで形成されており、後述する導電性板材３を介して主基板により覆われることにより塞がれる部分とされている。なお、主基板を収容している主基板ケース側に後述する導電性板材３と同様な構成部材が設けられている場合には主基板側で直接開口２Ａ１が覆われることになる。
【００３６】
開口２Ａ１には、図１および図３に示すように、主基板と対面する側（基板取り付け部材における後方面）に導電性板材３が設けられるようになっている。
【００３７】
導電性板材３は、図示しない位置で接地されているシールド板として用いられる部材であり、その長手方向で中心を挟んで対向する位置には一方の角穴３Ａ、他方の角穴３Ｂが形成され、他方の角穴３Ｂの近傍の端縁には、外側に突出する係止片３Ｃが設けられている。
【００３８】
一方の角穴３Ａ、他方の角穴３Ｂには、基板取り付け部材２の天井面に設けられた係止部が係合できるようになっている。
【００３９】
係止部は、他方の角穴３Ａ側に設けられた嵌合部４と、他方の角穴３Ｂ側に設けられた係止突起５と、導電性板材３の係止片３Ｃと対向する位置に設けてある押圧部材６とを備えている。
【００４０】
図４及び図５は、係止部の構成を説明するために、図３において符号（４）、（５）で示す方向の矢視断面であり、図４において嵌合部４は、導電性板材３に形成された一方の角穴３Ａの内縁、つまり他方の角穴３Ｂ側に位置する内縁が突き当たる面を備えた堰部で構成され、図５において係止突起５は、導電性板材３側の角穴３Ａに入り込んで角穴３Ａの内縁が衝突する突起で構成されている。
【００４１】
押圧部材６は、基板取り付け部材３の一部と一体成形されて撓み変形が可能な片持ち梁状の折り返し片で構成され、基板取り付け部材３と一体成形されている基部を支点として垂直方向に撓むことができるようになっている。
【００４２】
押圧部材６は、図５において実線で示す状態を通常状態としており、この状態では導電性板材３の端縁に対向する押圧面６Ａによって導電性板材３の端縁を押圧することができるようになっている。
【００４３】
押圧部材６によって端縁が押圧される導電性板材３は、長手方向の一方側に向けて押圧されることになり、この押圧力を利用して角穴３Ａの内縁を嵌合部４の外面に突き当てることにより天井面２Ａから浮き上がったり天井面２Ａから脱落するのを防止される。なお、図４，５においては、部材同士の配置関係を説明するための導電性板材３を天井面２Ａから浮き上がらせて示しているが、実際には、天井面２Ａに導電性板材３が載置されている。
【００４４】
嵌合部４および係止突起５は、導電性板材３の上面からの突出高さが同じとされており、これにより、基板取り付け部材２の天井面２Ａに搭載されて固定される主基板ケースの搭載高さを位置決めするようになっている。
【００４５】
主基板ケースの搭載高さが規定されることにより、主基板と導電性板材３との間隔が規定されることになるので、不用意に主基板側の電装部品つまりコネクタの端子などが導電性板材３に接触しないようにすることができる。
【００４６】
本実施例は以上のような構成であるから、基板セット台１に対して主基板を取り付ける場合には、基板セット台１に対して基板取り付け部材２が締結などにより一体化される。
【００４７】
基板取り付け部材２が基板セット台１に一体化されると、導電性板材３が基板取り付け部材３の天井面２Ａに係止される。このとき、導電性板材３は、角穴３Ａの内縁を嵌合部４の表面に突き当てることで不安定な動きが発生するのを防止されて脱落などが防がれた状態で他方側の端縁を押圧部材６に対向させるように天井面２Ａに載置される。
【００４８】
天井面２Ａに載置された導電性板材３は、図５において二点鎖線で示すように、係止部の押圧部材６が通常状態から押し下げられることにより、天井面２Ａから自由に動かされることができ、この状態において、他方側の角穴３Ｂを係止突起５に嵌め込むことができる。そして、押圧部材６を押し下げた状態から通常状態に復帰させることで他方側の端縁が押圧部材６によって押圧されることにより角穴３Ａの内縁が嵌合部４にの面に対して押し付けられて不用意な脱落を防止された状態を維持することになる。
【００４９】
一方、基板セット台１側の部品交換などの際に基板セット台側を外部に露出させる場合には、主基板を取り外した状態で導電性板材３を取り除くことにより開口２Ａを外部に露出させることができ、開口２Ａ１内に手を差し入れることもできる。
【００５０】
本実施例によれば、基板セット台１側を外部に露出させる際には、主基板及び導電性板材３のみを取り外すだけで、基板取り付け部材２を取り外す必要がない。これにより、主基板及びこれが取り付けられている部材を取り外す場合と違って、主基板あるいは導電性板材のみの重量負担で済むことになり、保守時での部品取り外しの際の労力負担を軽減することができる。しかも、基板セット台１に締結されている基板取り付け部材２の締結を解除する必要がないので、基板取り外しの手間が簡略化されることになる。
【００５１】
一方、導電性板材３は、ほぼ主基板に対応する大きさであるので、主基板に対応した電磁シールドが可能な領域を確保できるので、主基板への電磁ノイズの進入あるいは基板セット台１側への電磁ノイズの進入を広い範囲で防止することができる。
【００５２】
また、導電性板材３の着脱は、押圧部材６の押圧状態解除及び押圧状態復元という簡単な操作で行えるので、締結あるいは係止爪の係合及び係合解除などに比べて作業性を向上させることができる。
【００５３】
さらに、導電性板材３は、基板取り付け部材２の内部（内側）に露出しているので、パチンコ球は、接地されている導電性板材３に接触することができる。この接触によって、パチンコ球の帯電（静電気）を除去することができる。
【図面の簡単な説明】
【００５４】
【図１】本発明実施例による基板取り付け構造の要部を示す斜視図である。
【図２】本発明実施例による基板取り付け構造に用いられる基板取り付け部材の底面図である。
【図３】本発明実施例による基板取り付け構造に用いられる基板取り付け部材の平面図である。
【図４】図３中、符号（４）で示す方向の矢視断面図である。
【図５】図３中、符号（５）で示す方向の矢視断面図である。
【符号の説明】
【００５５】
１            基板セット台
２            基板取り付け部材
２Ａ          天井面
２Ａ１        開口
３            導電性板材
３Ａ、３Ｂ    角穴
４            係止部に用いられる嵌合部
５            係止部に用いられる係止突起
６            係止部に用いられる押圧部材
【図１】
2006136428.tif 000003
【図２】
2006136428.tif 000004
【図３】
2006136428.tif 000005
【図４】
2006136428.tif 000006
【図５】
2006136428.tif 000007